(57)【要約】【課題】水または熱湯に浸して使用済みになったバックを容器から簡単に取り出すことができる飲料抽出バック。【解決手段】本発明の第１の態様の飲料抽出バッグは、水透過性材料からなる袋体２内に飲料抽出物３を詰めて水又は熱湯に浸して飲料を抽出する飲料抽出バッグ１であって，袋体２には，この袋体の内または外に，該袋体を伸直させる伸直部材４，４１〜４３が装着されている。係る態様の飲料抽出バッグによれば，袋体にこれを伸直させる伸直部材が装着されているので，水または熱湯に浸した後，使用済みになったバックを容器から簡単に取り出すことができる。また，専用の容器を用いることなく汎用の容器の使用が可能になり，しかも，構成が簡単なので作製が容易で安価になる。【選択図】図１
2017071415.tif 000002
【特許請求の範囲】
【請求項１】
水透過性材料からなる袋体内に飲料抽出物を詰めて水又は熱湯に浸して飲料を抽出する飲料抽出バッグであって，
前記袋体には，該袋体を伸直させる伸直部材が装着されていることを特徴とする飲料抽出バッグ。
【請求項２】
前記伸直部材は，棒状体又は板状体であることを特徴とする請求項１に記載の飲料抽出バッグ。
【請求項３】
前記棒状体は，柱状または中空円筒体で形成されていることを特徴とする請求項２に記載の飲料抽出バッグ。
【請求項４】
前記中空円筒体は，周囲に複数個の微細穴が形成されていることを特徴とする請求項３に記載の飲料抽出バッグ。
【請求項５】
前記袋体は，複数個の収納室が形成されて，これらの収納室に前記飲料抽出物が収容されていることを特徴とする請求項１〜３のいずれかに記載の飲料抽出バッグ。
【請求項６】
前記袋体は，前記収納室を分離できる切断部が設けてあることを特徴とする請求項５に記載の飲料抽出バッグ。
【請求項７】
前記伸直部材は，前記飲料抽出物が詰められた前記袋体が水又は熱湯に浸漬された状態で該袋体を浮上させる浮き材で形成されていることを特徴とする請求項１〜６のいずれかに記載の飲料抽出バッグ。
【発明の詳細な説明】
【技術分野】
【０００１】
本発明は，飲料抽出バッグに係り，さらに詳しくは，水又は熱湯に浸漬して飲料を抽出する飲料抽出バッグに関する。
【背景技術】
【０００２】
現在，ティーバックは，水や熱湯に浸漬するだけで，簡単に飲み物が作れるので，紅茶，煎茶など多種多様のティーバックが広く一般に普及している。
これらのティーバッグうち，最も一般的なものは，小さな袋体に紅茶，煎茶などを詰め，これを糸で吊るしたものとなっている（下記特許文献１参照。）。
【０００３】
しかし，このティーバッグは，通常，一人用なので一度に多量の飲み物を作ることができない。そこで，一度に多量の飲み物を作るものとして，煎茶などを詰めた複数個のティーバッグを軸に吊るし，この軸の頂部を蓋体に固定して，容器内の湯に浸漬するようにしたティーバッグ取り付け機能付き容器蓋（下記特許文献２参照。），或いは，長い袋状の包材をペットボトルの口から挿入し，ペットボトル内の水に浸漬し，このペットボトルの口の上縁でティーバッグの上の部分を折り返し，これを前記口とその口にねじ込むキャップとの間に挟み，固定し，吊り下げるようにしたもの（下記特許文献３〜５参照。），また，さらに袋体の上端に支軸を取り付けたもの（下記特許文献６参照。）などが提案されている。
【先行技術文献】
【特許文献】
【０００４】
【特許文献１】特開２００５−０５９９６２号公報
【特許文献２】特開２０１４−２３７４４９号公報
【特許文献３】登録実用新案第３００１３９１号公報
【特許文献４】特開２００７−０５５６１８号公報
【特許文献５】特開２００７−０７６６９２号公報
【特許文献６】特開平１１−００１２６７号公報
【発明の開示】
【発明が解決しようとする課題】
【０００５】
上記特許文献１に記載のティーバッグは，一人用なので一度に多量の飲み物を作ることができない。一度に多量の飲み物を作ろうとすると，複数個のティーバッグを大型容器に入れることになるが，そうすると，これらのティーバッグはそれぞれの袋体が糸で吊るしてあるので，水に浸漬されている間に，袋体内の内容物に水が滲み込み重量が増し，増大した自重で糸の他端が容器内へ落下してしまうことがある。このため，使用済みになったティーバッグを大型容器から外へ取り出すことが極めて困難になる。
【０００６】
これに対して，上記特許文献２に記載のものは，複数個のティーバッグが容器蓋に固定した軸に吊るしてあるので，ティーバッグが容器底へ落下することがなく，使用済みのティーバッグは容器蓋を上方へ持ち上げることによって，簡単に取り出すことができる。しかし，そのために，専用の容器蓋が必要になり，汎用の容器を使用できず高価になる。
【０００７】
また，上記特許文献３〜５に記載のものは，長い袋状の包材の端部が容器の蓋体で留めたものとなっている。しかし，包材の端部が容器の蓋体で留めてあっても，包材内の内容物が水分を吸って重くなるので，その自重で長い袋状の包材の端部が容器内へ落ち込むことがある。そうすると，上記特許文献１のティーバックと同様に使用済みのバッグを容器から外部への取出しが極めて困難になる。また，これらのティーバッグは，長い袋状の包材となっているので，水に浸漬されると，包材内の内容物に水が滲み込み重量が増し，立直状態が維持されなくなり，増大した重量で下方へ曲りくねって沈み，容器底へ落下してしまうことがある。このため，使用済みになったティーバッグは容器から外へ取り出すことが極めて困難になる。また，上記特許文献６のものも同様の課題が潜在している。
【０００８】
そこで，この発明は，上記従来技術のものが抱える課題を解決するためになされたものであって，本発明の目的は，水または熱湯に浸した後，使用済みになったバッグを容器から簡単に取り出すことができ，作製が容易な飲料抽出バックを提供することにある。
【０００９】
また，他の目的は，専用の容器を用いることなく，汎用の容器或いは空き容器などの使用を可能にして，好み量の飲料を作ることができる飲料抽出バッグを提供することにある。
【００１０】
さらに，他の目的は，飲料抽出物を好みの量にして，飲料を効率よく抽出できる抽出バックを提供することにある。
【課題を解決するための手段】
【００１１】
本発明の第１の態様の発明は，水透過性材料からなる袋体内に飲料抽出物を詰めて水又は熱湯に浸して飲料を抽出する飲料抽出バッグであって，前記袋体には，該袋体を伸直させる伸直部材が装着されていることを特徴とする。
【００１２】
本発明の第２の態様の発明は，上記第１の態様の飲料抽出バッグにおいて，前記伸直部材は，棒状体又は板状体であることを特徴とする。
【００１３】
本発明の第３の態様の発明は，上記第２の態様の飲料抽出バッグにおいて，前記棒状体は，柱状または中空円筒体で形成されていることを特徴とする。
【００１４】
本発明の第４の態様の発明は，上記第３の態様の飲料抽出バッグにおいて，前記中空円筒体は，周囲に複数個の微細穴が形成されていることを特徴とする。
【００１５】
本発明の第５の態様の発明は，上記第１〜３のいずれかの態様の飲料抽出バッグにおいて，前記袋体は，複数個の収納室が形成されて，これらの収納室に前記飲料抽出物が収容されていることを特徴とする。
【００１６】
本発明の第６の態様の発明は，上記第５の態様の飲料抽出バッグにおいて，前記袋体は，前記収納室を分離できる切断部が設けてあることを特徴とする。
【００１７】
本発明の第７の態様の発明は，上記第１〜６のいずれかの態様の飲料抽出バッグにおいて，前記伸直部材は，前記飲料抽出物が詰められた前記袋体が水又は熱湯に浸漬された状態で該袋体を浮上させる浮き材で形成されていることを特徴とする。
【発明の効果】
【００１８】
本発明の第１の態様の飲料抽出バッグは，袋体にこれを伸直させる伸直部材が装着されているので，水または熱湯に浸した後，使用済みになったバックを容器から簡単に取り出すことができる。また，専用の容器を用いることなく汎用の容器の使用が可能になり，しかも，構成が簡単なので作製が容易で安価になる。
【００１９】
本発明の第２の態様の飲料抽出バッグは，伸直部材が棒状体又は板状体であるので，簡単に作製でき安価なものを使用できる。
【００２０】
発明の第３の態様の飲料抽出バッグは，柱状または中空円筒体で形成されているので，簡単に作製でき安価になる。
【００２１】
本発明の第４の態様の飲料抽出バッグは，中空円筒体は，周囲に複数個の微細穴が形成されているので，飲料抽出の効率よくなる。
【００２２】
本発明の第５の態様の飲料抽出バッグは，袋体は複数個の収納室が形成されて，これらの収納室に前記飲料抽出物が収容されているので，飲料抽出物を好みの量にして，飲料を効率よく抽出できる。
【００２３】
本発明の第６の態様の飲料抽出バッグは，袋体は，収納室を分離れできる切断部が設けてあるので，好み量の飲料を抽出できる。
【００２４】
本発明の第７の態様の飲料抽出バッグは，伸直部材は，前記飲料抽出物が詰められた前記袋体が水又は熱湯に浸漬された状態で該袋体を浮上させる浮き材で形成されているので，水または熱湯に浸した後，使用済みになったバックを容器からより簡単に取り出すことができる。
【図面の簡単な説明】
【００２５】
【図１】本発明の実施形態１に係る飲料抽出バッグを示し，図１Ａは飲料抽出バッグの斜視図，図１Ｂ〜図１Ｄは伸直部材の斜視図である。
【図２】図１の飲料抽出バッグの使用例を示し，図２Ａは飲料抽出バッグを容器に入れた状態の斜視図，図２Ｂは図２Ａの容器内に水を入れて飲料抽出バッグを水に浸した状態の斜視図である。
【図３】図３Ａは図１Ｄの伸直部材を収容した飲料抽出バッグを容器内の水に浸した状態の斜視図，図３Ｂは図３ＡのIIIＢ部分の拡大斜視図である。
【図４】本発明の実施形態２に係る飲料抽出バッグを示し，図４Ａは飲料抽出バッグの斜視図，図４Ｂ〜図４Ｄは伸直部材の斜視図である。
【図５】図４の飲料抽出バッグの使用例を示し，図５Ａは飲料抽出バッグを容器に入れた状態の斜視図，図５Ｂは図５Ａの容器内に水を入れて飲料抽出バッグを水に浸した状態の斜視図である。
【図６】図６Ａは本発明の実施形態３に係る飲料抽出バッグの斜視図，図６Ｂは実施形態４に係る飲料抽出バッグの斜視図である。
【図７】図７Ａは本発明の実施形態５に係る飲料抽出バッグの斜視図，図７Ｂは実施形態６に係る飲料抽出バッグの斜視図である。
【発明を実施するための形態】
【００２６】
以下，図面を参照して，本発明の実施形態を説明する。但し，以下に示す実施形態は，本発明の技術思想を具体化するための飲料抽出バッグを例示するものであって，本発明をこれに特定することを意図するものではなく，特許請求の範囲に含まれるその他の実施形態のものにも等しく適応し得るものである。
【００２７】
［実施形態１］
図１を参照して，本発明の実施形態１に係る飲料抽出バッグを説明する。なお，図１は本発明の実施形態１に係る飲料抽出バッグを示し，図１Ａは飲料抽出バッグの斜視図，図１Ｂ〜１Ｄは伸直部材の斜視図である。この図１は，袋体内の飲料抽出物及び伸直部材を透過した状態を図示している。
本実施形態１の飲料抽出バッグ１は，水透過性材料からなる細長筒状の袋体２内に，飲料抽出物３及び伸直部材４を収容したものであって，水又は熱湯（以下，これらを総称して水とも言う。）に浸して飲料抽出物３に含まれる飲料を抽出するものである。なお，用語「抽出」は水に浸して飲料を取り出す意味で使用していることから，用語「滲出」と同じ意味でもある。
【００２８】
以下，この飲料抽出バッグ１を構成する袋体２，飲料抽出物３及び伸直部材４を説明する。袋体２は，図１Ａに示したように，所定量の飲料抽出物３及び所定長さの伸直部材４を収容する大きさであって，所定の幅長Ｗ，長さＬ及び内部に所定大きさの空間を有し，側部及び底部をそれぞれシールして側シール部２１及び底シール部２２とし，上方が開口した細長の筒状をなし，水透過性材料，例えば紙や不織布などで形成されている。
幅長Ｗ，長さＬは，例えば４０ｍｍ，１５０ｍｍである。なお，これらの幅長Ｗ及び長さＬは，袋体を入れる容器の大きさによって決められる。すなわち，幅長Ｗは容器の開口直径より短く，長さＬは容器の高さより短長にする。この袋体の大きさは容器によって変更されるものである。
【００２９】
飲料抽出物３は，コーヒー挽粒（以下，コーヒーと言う。），ウーロン茶，煎茶，焙じ茶，紅茶及び麦茶などの茶葉などである。なお，薬草などでもよい。
【００３０】
伸直部材４は，図１Ｂ〜図１Ｄに示ししたように，袋体２内の長手方向に収容して，この袋体２を直線状に伸直させるものであって，木，プラスチックなどからなる棒状体であるが好ましい。これらの棒状体は，例えば，木箸のような棒４１（図１Ｂ参照。）であって，その長さＬ１は，袋体の長さＬと同じか若干短長であり，直径ｄ１は袋体の幅長Ｗより短くなっている。また，所定大きさの中空穴４ａを有するプラスチック製中空筒４２（図１Ｃ参照。），さらにこの中空穴４ａに加え周囲に複数の微細穴４ｂを設けたプラスチック製中空筒４３（図１Ｄ参照。）などである。なお，この微細穴は飲料抽出物が中空穴に侵入しないように，これより小さくなっており，また，
これらの中空筒の長さ及び直径は棒４１と同じになっている。
【００３１】
この伸直部材４は，また，伸直性に加え，飲料抽出物３を詰めた袋体２を水に浸した状態で浮上させる浮力を付与する浮上体であるのが好ましい。伸直部材４の浮上は，袋体１に詰める飲料抽出物３の種類及び量によって決められる。なお，各種飲料抽出物のうち，例えば，コーヒーなどは水中で浮上する性質をもっているので浮力付与は必ずしも必要としない。この伸直部材４は，上記の棒状体に限定されるものでなく，他の形状のもの，例えば板状体でもよい。
【００３２】
飲料抽出バッグ１の製作は，予め袋体２内に伸直部材４を挿入して置き，開口から所定量の飲料抽出物３を詰めて，開口をシールして上方シール部２３とする。この上方シールの際，その中央部に伸直部材４の頂部を同時にシールするのが好ましい。この上方シール部２３により，伸直部材４は飲料抽出物３を詰めた袋体２内のほぼ中心部に位置決めされて，飲料抽出物３を詰めた袋体２を伸直させる。なお，伸直部材は，袋体内に入れたが外側，例えば側シール部などに装着してもよい。
【００３３】
図１〜図３を参照して，飲料抽出バッグ１の使用例を説明する。なお，図１は，図１の飲料抽出バッグの使用例を示し，図１Ａは飲料抽出バッグを容器に入れた状態の斜視図，図１Ｂは図１Ａの容器内に水を入れて飲料抽出バッグを水に浸した状態の斜視図，図２は図１の飲料抽出バッグの使用例を示し，図２Ａは飲料抽出バッグを容器に入れた状態の斜視図，図２Ｂは図２Ａの容器内に水を入れて飲料抽出バッグを水に浸した状態の斜視図，図３Ａは図１Ｄの伸直部材を収容した飲料抽出バッグを容器内の水に浸した状態の斜視図，図３Ｂは図３ＡのIIIＢ部分の拡大斜視図である。
【００３４】
まず，飲料抽出バッグ１を収容できる大きさの容器５を用意する。この容器５は，図２に示したように，有底で飲料抽出バッグ１を立直させて収容できる高さ及び上方に飲料抽出バッグ１を挿入，取出しができる大きさの開口５１を有する容器本体５ａと，この開口を塞ぐ蓋体５ｂと，ならなり，プラスチック，或いはガラスなどで形成されたもの使用する。この容器５は，飲料抽出バッグ専用のものでなくもよく，既に市販されている容器，例えば，ガラス製ポット，ペットボトル，水筒などをも使用できる。このような容器を使用する場合，飲料抽出バッグ１を収容，取出しができる大きさの容器の選定，或いは，容器の大きさに合うように飲料抽出バッグの形状を変更する。この変更は，飲料抽出バッグ１が簡単な構造になっているので，容易にできる。その結果，飲料抽出バッグ専用の容器が不要になるので，容器代が不要になる。
【００３５】
用意した容器５を用い，この容器本体５ａ内に，開口５１から飲料抽出バッグ１を略立直させた状態で挿入する（図２Ａ参照。）。次いで，容器本体５ａ内に水６を入れて開口を蓋体５Ｂで閉蓋し，飲料抽出バッグ１を水に浸漬させる（図２Ｂ参照。）。なお，予め，容器本体５Ａ内に，水を入れて置いて，後から飲料抽出バッグを入れてもよい。容器５内の水に飲料抽出バッグ１を所定時間浸漬させると，飲料抽出バッグ内の飲料抽出物３から飲料が抽出される。この抽出量は，浸漬時間の途中までは時間に略比例して所定量が抽出され，時間が長くなる（抽出飲料が少なくなり、無くなること。）抽出されなくなる。この抽出量は，飲料抽出物３の種類及び量などによって異なる。
【００３６】
伸直部材４のうち，伸直部材４３（図１Ｄ参照。）を入れた飲料抽出バッグ１を水に浸漬させると，図３に示したように，飲料抽出物３から飲料を効率よく抽出できる。すなわち，伸直部材４３は，内部に中空穴４ａ及び周囲に複数の細穴４ｂが形成されているので，この細穴を通って，水が出入りし，飲料抽出物３から飲料が効率よく抽出される。
【００３７】
飲料抽出物３がコーヒーであって，冷水に数時間浸漬させると，飲みごろの水出しコーヒーが生成される。水出しコーヒーが生成されると，飲料抽出バッグ１が使用済みとなり，容器本体５ａから取り出さなければならないが，コーヒーは油性成分を含んでいるので，この使用済み飲料抽出バッグ１は水中で浮き上がる（図２Ｂ，３Ａ参照。）。したがって，蓋体５ｂを開けると，開口５１付近に飲料抽出バッグ１の上部が浮き上がっているので，簡単に使用済みの飲料抽出バッグ１を取り出すことができる。また，飲料抽出物３が茶葉であると，コーヒーと違って油性成分がないので，浮上しないが，伸直部材４により，立直しているので，飲料抽出バッグ１の上部を摘まんで取り出すことができる。また，伸直部材４が浮上体で形成されている場合は，浮き上がるので，取出しがより簡単になる。
【００３８】
実施形態１の飲料抽出バッグ１によれば，冷水に浸すことによって，どこでもいつでも，安価に好みの飲料，例えば，水出しコーヒー，水出し茶などの飲み物を生成できる。また，飲料抽出バッグ３の構成が簡単なので，これを容器に合わせたものを簡単に作製でき，同様の飲み物をどこでもいつでも，安価に好みの飲み物を生成できる。
【００３９】
［実施形態２］
図４，図５を参照して，本発明の実施形態２の飲料抽出バッグを説明する。なお，図４は本発明の実施形態２の飲料抽出バッグを示し，図４Ａは飲料抽出バッグの斜視図，図４Ｂ〜図４Ｄは伸直部材の斜視図，図５は図４の飲料抽出バッグの使用例を示し，図５Ａは飲料抽出バッグを容器に入れた状態の斜視図，図５Ｂは図５Ａの容器内に水を入れて飲料抽出バッグを水に浸した状態の斜視図である。
【００４０】
本発明の実施形態１の飲料抽出バッグ１Ａは，実施形態１の飲料抽出バッグの伸直部材の一部を袋体から突出させたものである。すなわち，飲料抽出バッグ１Ａの伸直部材４Ａは，図４に示したように，実施形態１の伸直部材４と同様に，袋体２内の長手方向に沿って収容して，この袋体２を直線状に伸直させるものであって，所定の長さＬ３及び直径ｄ１を有し，木，プラスチックなどからなる棒状体で形成されている。これらの棒状体は，例えば，木箸のような棒４Ａ１（図４Ｂ参照。）であって，その長さＬ３は，袋体の長さＬより若干長く，袋体の長さＬ（Ｌ１）と袋体から突出させる長さＬ１とを合計したものとし，また，直径ｄ１は袋体の幅長Ｗより短くなっている。
【００４１】
長さＬ１部分は，袋体２から突出し，飲料抽出バッグ１を摘み出す摘み部４ｃとなる。また，この伸直部材４Ａは，所定大きさの中空穴４ａを有するプラスチック製中空筒４Ａ２（図４Ｃ参照。），さらにこの中空穴４ａに加え周囲に複数の微細穴４ｂを設けたプラスチック製中空筒４Ａ３（図４Ｄ参照。）などである。これらは棒４Ａ１と同じ寸法となっている。この飲料抽出バッグ１Ａは，飲料抽出バッグ１と同様の方法で使用して飲料を抽出するが，使用済みとなった飲料抽出バッグ１Ａは伸直部材４Ａの上方端が所定長さ突出しているので，その取出しが飲料抽出バッグ１よりさらに容易になる（図５Ａ，図５Ｂ参照。）。また，伸直部材４Ａが突出しているので，それをバッグから引き抜くことにより分別ゴミ処理が可能になる。
【００４２】
なお，伸直部材４Ａは，伸縮できる部材で作製するのが好ましい。例えば，複数本のストローがスライドするようにしたもの，ジャバラ状のものなどである。このような伸直部材を用いることにより，蓋で抑えるときバッグの浮き沈みを調節できる。
【００４３】
［実施形態３及び４］
図６を参照して，本発明の実施形態３，４の飲料抽出バッグを説明する。なお，図６Ａは本発明の実施形態３の飲料抽出バッグの斜視図，図６Ｂは実施形態４の飲料抽出バッグの斜視図である。
【００４４】
本発明の実施形態３の飲料抽出バッグ１Ｂは，図６Ａに示したように，袋体２を長手方向（図６Ａでは立直方向。）と直交する箇所を，所定間隔でシールして仕切シール部２４，２５して，飲料抽出物３を小分けして収納した複数個，例えば３つの収納室２ａ〜２ｃを形成したものである。その際，伸直部材４Ｂは，実施形態１の伸直部材４と同じものを使用して袋体２内に固定する。なお，伸直部材４Ｂは袋体２の外側でもよい。各収納室２ａ〜２ｃの飲料抽出物３は，一杯でなく，６０〜８０％程度が好ましい。この飲料抽出バッグ１Ｂは，実施形態１の飲料抽出バッグ１と同じ方法で使用する。
【００４５】
この飲料抽出バッグ１Ｂによれば，飲料抽出物３が複数個の収納室２ａ〜２ｃにそれぞれ分散されているので，各収納室から飲料を効率よく抽出できる。すなわち，ウーロン茶，煎茶，抹茶，紅茶，コーヒーなどの飲料抽出物はその粒度が小さく略均一であることから，水に浸すとそれらは水で膨潤して，袋体が棒状に硬く締まってしまい飲料の抽出が悪くなるが，この課題を解消できる。
【００４６】
また，実施形態４の飲料抽出バッグ１Ｃは，実施形態３の飲料抽出バッグ１Ｂ（図６Ｂ参照。）の伸直部材４Ｂの一部を袋体２から突出させたものである。すなわち，飲料抽出バッグ１Ｃの伸直部材４Ｃは，図６Ｂに示したように，実施形態３の伸直部材４Ｂと同様に，袋体１内の長手方向に収容して，この袋体２を直線状に伸直させるものである。その際，伸直部材４Ｃは，実施形態２の伸直部材４Ａと同じものを使用して袋体２内に固定する。なお，伸直部材は袋体の外側に装着してもよい。この飲料抽出バッグ１Ｃは，実施形態１の飲料抽出バッグ１Ａと同じ方法で使用する。
【００４７】
この飲料抽出バッグ１Ｃによれば，飲料抽出バッグ１Ｂと同じ効果，すなわち飲料を効率よく抽出できると共に，飲料抽出バッグ１Ａの効果，すなわち容器からの取出しが容易になる，などの効果を奏する。
【００４８】
［実施形態５及び６］
図７を参照して，本発明の実施形態５，６の飲料抽出バッグを説明する。なお，図７Ａは本発明の実施形態５の飲料抽出バッグの斜視図，図７Ｂは実施形態６の飲料抽出バッグの斜視図である。
【００４９】
実施形態５の飲料抽出バッグ１Ｄは，図７Ａに示したように，実施形態３の飲料抽出バッグ１Ｂ（図６Ｂ参照。）と同様に仕切シール部２４，２５を幅広にし，この幅広の仕切シール部にして切断部７，例えばミシン目，スリットなどを形成したものである。すなわち，飲料抽出バッグ１Ｄは，図７Ａに示したように，袋体２を長手方向にあって直交する箇所を，所定間隔で幅広シールして仕切シール部２４，２５して，飲料抽出物３を小分けして収納した複数個，例えば３つの収納室２ａ〜２ｃを形成し，伸直部材４Ｄを袋体２のシール部２１側に装着したものである。この伸直部材４Ｄは，これに切断部８，例えば切り溝などを設けたものを使用する。
【００５０】
この飲料抽出バッグ１Ｄによれば，使用前に収納室で分離できるので，好みの量で飲料を抽出できる。また，飲料抽出バッグ１Ｂと同じ効果，すなわち飲料を効率よく抽出できる。
【００５１】
また，実施形態６の飲料抽出バッグ１Ｅは，実施形態３の飲料抽出バッグ１Ｂ（図６Ｂ参照）の伸直部材４Ｂの一部を袋体２から突出させたものである。すなわち，飲料抽出バッグ１Ｅの伸直部材４Ｅは，図７Ｂに示したように，実施形態５の伸直部材４ｄと同様に，袋体２内の長手方向に装着して，この袋体２を直線状に伸直させるものである。その際，伸直部材４Ｅは，実施形態２の伸直部材４Ａと同じものを使用して袋体２に固定する。なお，伸直部材は袋体の外側に装着してもよい。この飲料抽出バッグ１Ｅは，実施形態１の飲料抽出バッグ１Ａと同じ方法で使用する。
この飲料抽出バッグ１Ｅによれば，飲料抽出バッグ１Ｂと同じ効果，すなわち飲料を効率よく抽出できると共に，飲料抽出バッグ１Ａの効果，すなわち容器からの取出しが容易になる，などの効果を奏する。
【００５２】
以上説明した本発明の実施形態の飲料抽出バッグは，何れも袋体に伸直部材を装着したものであるが，このような伸直部材を使用することなく，袋体を構成する不織布を硬いプラスチックで作製，或いは飲料抽出物，例えばコーヒー粉を加圧固形化することによって，伸直性を付与するようにしてもよい。
【符号の説明】
【００５３】
１，１Ａ〜１Ｅ            飲料抽出バッグ
２                        袋体
２１                      側シール部
２２                      底シール部
２３                      上方シール部
２４，２５                  仕切シール部
２ａ〜２ｃ                  収納室
３                          飲料抽出物
４，４１〜４３，４Ａ，４Ａ１〜４Ａ３，４Ｂ〜４Ｅ    伸直部材
４ａ                          中空穴
４ｂ                          微細穴
５                            容器
５ａ                          容器本体
５ｂ                          蓋体
５１                          開口
６                            水
７，８                        切断部
【図１】
2017071415.tif 000003
【図２】
2017071415.tif 000004
【図３】
2017071415.tif 000005
【図４】
2017071415.tif 000006
【図５】
2017071415.tif 000007
【図６】
2017071415.tif 000008
【図７】
2017071415.tif 000009